(57)【特許請求の範囲】
【請求項１】
板材の表面に貼着した保護膜の上から使用する頭付きネジであって、ネジ頭部下面（３）の外周縁（４）の近傍内側に、上記保護膜厚さの８０〜１００％の高さを有し、断面形状がＶ字状でありＶ字角度が６０〜９０度となる平面視円形の連続した突起（５）を設け、当該頭付きネジを上記保護膜の上から締め付けた時は上記突起が該保護膜を捩ることなく食込ませるとともに、保護膜を剥がす時に当該突起部分に沿ってとれるように食込ませたことを特徴とする板材の表面に貼着した保護膜の上から使用する頭付きネジ。
【発明の詳細な説明】
【０００１】
【発明の属する技術分野】
本発明は、アルマイト処理あるいは焼付け塗装が施されたアルミニウム板材、または、研磨されたステンレス板材などの表面に貼着した樹脂製の保護膜の上から使用する頭付きネジに関するものである。
【０００２】
【従来の技術】
アルマイト処理あるいは焼付け塗装が施されたアルミニウム板材、または、研磨されたステンレス板材などは、表面が綺麗で意匠的に優れているだけでなく、耐久性があり、また、表面にゴミが付いても表面が平らなので簡単に除去できるなどの特性がある。
【０００３】
アルミニウム板材は、建築のサッシ、雨戸、ベランダ等に使用され、また、ステンレス板材は、厨房の流し台・収納ケース、測定機器のケース、電気のスイッチボックス・操作盤、医療機器のケース、病院での薬品・治療器を乗せる手押しワゴン等に使用され、これら製品の組立てには頭付きネジが使用されている。
上記した製品を作成するには、ベンダー又はプレス機械により、曲げ、絞り、穴あけ等を行い、次いで穴あけされた穴を用いて頭付きネジにより組立てるが、曲げあるいは絞り加工中の取扱い又は運搬等において、板材は傷が付く場合が多く、傷が付くと商品価値が低下するので、これら板材の表面には保護膜が貼着されている。
ここで、保護膜の厚みは、０．０５〜０．３ｍｍ程度である。また、保護膜は、板材の種類、仕上げ状態により色別され、具体的には、白、黄、紺、透明などである。
【０００４】
本明細書において、アルマイト処理あるいはアルミニウムに焼付け塗装した板材又は研磨したステンレス板材などの表面に保護膜を貼着した板材を「対象板材」という。
【０００５】
対象板材を上記製品の形状に形成するため、ベンダー又はプレス機械等により曲げ、絞り加工を行うと同時に、特にプレス機械によって頭付きネジを使用して製品組立てを行うための穴加工を行う。
加工された対象板材を、頭付きネジを使用して組立てるには、組立てる相手板材あるいは部材に設けた同じ穴径の穴を利用してナット締め方法、または、相手板材あるいは部材に設けた雌ネジを利用する方法がある。また、頭付きネジとしては、小ネジのなべネジ、トラス小ネジ、バインド小ネジ、丸子ネジなどが多く使用されている。
また、頭付きネジの代わりにタッピングネジや先端に刃が付いたセルフタッピングネジを使用する場合もある。この他、意匠的に関係のない裏面や内部に入ってしまう所では、六角ボルト、六角穴付きボルトなどを使用することもある。
【０００６】
本発明は、頭付きネジに関しているが、本明細書において単に「ネジ類」という時は、上記した頭付きネジの他に、タッピングネジ、セルフタッピングネジ、六角ボルトなどを含んでいる。
【０００７】
市販されている通常のネジ類を、対象板材の保護膜上からネジ締付けを行うと、回転しながらネジ類の頭部下面が保護膜に当り、保護膜は柔らかい樹脂製なので、摩擦が大きくなり保護膜の貼着力よりもネジ類の頭部下面に加わる回転によるせん断力が大きくなってしまい、このため保護膜の一部は捩られることが多くなる。また、組立ての際、ネジ類とナットあるいは雌ネジのハメアイによる緩みがネジの締付け前にはあるので、ネジ類の締付けを行うと、頭部下面がハメアイの緩み分だけ傾き均一に保護膜に当たらなくなり、部分的に保護膜の一部が捩られることになる。
これらの理由は重なることもあり、結果として、ネジ類の頭部下面は均一に保護膜を押さえていないため、完成した製品を使用する段階で保護膜を剥がそうとすると、ネジ類の頭部下面において面圧の低いところは、ネジ類の頭部に沿って綺麗に取り去ることができなかった。このため、ネジ類の頭部に部分的に保護膜の一部が残り、製品の機能を害する問題や意匠的な外観上の問題が発生していた。
特に、ネジ類が設計の都合で表面に設けられる場合は、使用したネジ類の頭部に保護膜の一部が残ることは問題である。例えば、病院で使用する手押しの車つきワゴンは、ワゴン上に治療用の薬品や治療用器具を置く受け皿があり、該受け皿から薬品や治療器具が落下しないように外側に凸部を設け、内側の凹部四隅に頭部高さが低いトラス小ネジ等で当該受け皿を固定するが、トラス小ネジに保護膜の一部が残るとその部分にゴミが付き、衛生上の問題があるので、ナイフ等の刃物で余分な保護膜を除去しているが、手間がかかり面倒な問題となっている。
現状では、製品の仕様として、保護膜の完全な除去が要求される場合は、組立て用の穴を利用して、ネジ類の頭部より僅かに大径の保護膜を除去する特殊な刃物治具を作成し、追加工としての２次加工を行っているが、ネジ類の頭部サイズに応じて個別に刃物治具を作成する必要があり、また、加工の際、刃物で保護膜の下の対象板材を損傷することがあり、解決されなくてはならない問題であった。
【０００８】
【発明が解決しようとする課題】
本発明の課題は、表面に保護膜を貼着した対象板材の上から使用した時は板材表面を損傷することがなく、また、保護膜が不要になった時は板材表面を損傷しないで完全に除去できるようにした頭付きネジを提供することである。
【０００９】
【課題を解決するための手段】
解決手段は、板材の表面に貼着した保護膜の上から使用する頭付きネジであって、ネジ頭部下面の外周縁の近傍内側に、上記保護膜厚さの８０〜１００％の高さを有し、断面形状がＶ字状でありＶ字角度が６０〜９０度となる平面視円形の連続した突起を設け、当該頭付きネジを上記保護膜の上から締め付けた時は上記突起が該保護膜を捩ることなく食込ませるとともに、保護膜を剥がす時に当該突起部分に沿ってとれるように食込ませたことを特徴とするものである。
【００１０】
【発明の実施の形態】
図１は、本発明に係る頭付きネジの実施例を示しており、図１Ａは一部を縦断した正面図、図１Ｂは底面図である。図において、頭付きネジ１は、板材の表面に貼着した保護膜の上から使用するものであって、十字穴付きトラス小ネジであり、ネジ頭部２が断面丸型の球形を有しており、該ネジ頭部２のネジ頭部下面３の外周縁４の近傍内側に、保護膜厚さの８０〜１００％の高さを有し、断面形状がＶ字状でありＶ字角度が６０〜９０度となる連続した突起５を設けたものである。図中、６はネジ頭部２の下面に設けたネジ軸、７はネジ頭部２に形成した十字穴である。
実施例において、ネジ頭部（２）の外径は９．４ｍｍである。突起（５）は、高さ０．１５ｍｍ、断面Ｖ字形の角度６０度、円周径８．２ｍｍであり、ネジ頭部（２）の外周縁（４）から０．６ｍｍ内側に設けられている。また、ネジ軸（６）は、ネジ呼びがＭ４、ネジ長さは７ｍｍである。
【００１１】
実施形態において、ネジ頭部２のネジ頭部下面３に設けた突起５の断面角度は６０度としたが、断面角度は６０〜９０度が適している。また、突起５の高さは０．１５ｍｍとしたが、保護膜の８０〜１００％の高さが適している。
【００１２】
図２は、本発明に係る頭付きネジの使用状態を示す一部縦断の正面図であって、保護膜９を板材１０に貼着した対象板材８を部材１３に固定する場合に、本発明の頭付きネジ１が使用されている例を示している。
対象板材８は、プレス機械により透孔１１が開けられ、また、対象板材８を固定する部材１３にも上記透孔１１と同径の透孔１２が開けられている。ここで、対象板材８の透孔１１と部材１３の透孔１２を一致させ、当該透孔１１，１２にネジ１を挿入し、部材１３の裏側に突出したネジ軸６にナット１４を締付ける。
上記ナット１４を締付けることにより、頭付きネジ１のネジ頭部下面３に設けた突起５が保護膜９に食込む。突起５の高さは、保護膜９の厚さの８０〜１００％であるから、頭付きネジ１を回転しても、当該突起５は面当りではなく、当りの狭い断面Ｖ字形状なので保護膜９を捩ることなく食込ませることができる。
図４は、保護膜を剥がしている状態を示しており、製品が完成して保護膜９が不要になった時は、保護膜９を剥がすと、保護膜９は突起５が食込んだ部分に沿ってとれる。ただし、頭付きネジ１のネジ頭部下面３の保護膜９はそのまま残り、シール効果及び緩み止め効果を奏するものである。
【００１３】
図３は、他の使用状態を示す一部縦断の正面図である。図２においては、頭付きネジ１のネジ軸６にナット１４を締付けているが、図３においては、部材１３にバーリング加工部１３ａを設け、該バーリング加工部１３ａに雌ネジを形成している。
頭付きネジ１は、ネジ頭部２の十字穴７を利用してドライバー等により自動又は手動で回転し、対象板材８を部材１３にねじ結合すれば、突起５が保護膜９に食込み、また、保護膜９が不要な時は容易に剥がすことができる。
ここで、突起５は、保護膜９に食込む形状であれば良いので、断面形状はＶ字形状がよく、また、鋭角にする必要がなく丸いアール形状がよい。
【００１４】
【発明の効果】
本発明の頭付きネジは、ネジ頭部下面の外周縁の近傍内側に、保護膜厚さの８０〜１００％の高さを有し、断面形状がＶ字状でありＶ字角度が６０〜９０度となる平面視円形の連続した突起を設けることにより、板材の表面を保護するために貼着された保護膜の上から使用した時は、突起が保護膜を捩ることなく食込ませることができ、また、保護膜が不要になった時は、保護膜を当該突起部分に沿ってとれるものである。
したがって、突起が保護膜を貼着した板材に当接することがないので、当該板材の表面を損傷しないことは勿論のこと、保護膜を剥がした時は、保護膜がネジ頭部に部分的に残ることがなく、完全に剥がすことができるという効果を奏するものである。
【図面の簡単な説明】
【図１】  本発明に係る頭付きネジの実施例を示しており、Ａは一部を縦断した正面図、Ｂは底面図。
【図２】  使用状態を示す一部縦断の正面図。
【図３】  他の使用状態を示す一部縦断の正面図。
【図４】  図２において保護膜を剥がしている状態を示す縦断面図。
【符号の説明】
１  頭付きネジ
２  ネジ頭部
３  ネジ頭部下面
４  外周縁
５  突起
６  ネジ軸
７  十字穴
８  対象板材
９  保護膜
１０  板材
１１，１２  透孔
１３  部材
１４  ナット
【図１】
0004350332.tif 000002
【図２】
0004350332.tif 000003
【図３】
0004350332.tif 000004
【図４】
0004350332.tif 000005